(57)【要約】【課題】マルチディスプレイシステムを構成する表示装置を交換したときに設定を容易に行えるようにする。【解決手段】複数の表示装置が接続されることでマルチディスプレイを構成する表示装置であって、自表示装置１００に隣接して接続される第１表示装置１０１及び第２表示装置１０２からそれぞれ映像信号の表示に関する設定情報を取得する取得部１０３と、第１表示装置１０１の設定情報と第２表示装置１０２の設定情報とが一致するか否かの判定結果に基づいて、第１表示装置１０１の設定情報と第２表示装置１０２の設定情報とが一致する場合には、当該設定情報を自表示装置１００の設定情報として記憶する設定情報管理部１０４を有する。【選択図】図７
2020042134.tif 000002
【特許請求の範囲】
【請求項１】
複数の表示装置が接続されることでマルチディスプレイを構成する表示装置であって、
自表示装置に隣接して接続される第１表示装置及び第２表示装置からそれぞれ映像信号の表示に関する設定情報を取得する取得部と、
前記第１表示装置の設定情報と前記第２表示装置の設定情報とが一致するか否かの判定結果に基づいて、前記第１表示装置の設定情報と前記第２表示装置の設定情報とが一致する場合には、当該設定情報を自表示装置の設定情報として記憶部に記憶する設定情報管理部
を有する表示装置。
【請求項２】
前記設定情報管理部は、
前記第１表示装置の設定情報と前記第２表示装置の設定情報との他にさらに自表示装置の設定情報とが一致するか否かの判定結果に基づいて、前記第１表示装置の設定情報と前記第２表示装置の設定情報とが一致し、自表示装置の設定情報が異なる場合には、前記第１表示装置または前記第２表示装置の設定情報を自表示装置の設定情報として記憶部に記憶する
請求項１記載の表示装置。
【請求項３】
前記設定情報管理部は、
前記第１表示装置の設定情報と前記第２表示装置の設定情報と自表示装置の設定情報とが全て異なる場合には、前記第１表示装置または前記第２表示装置の設定情報を自表示装置の設定情報として記憶する処理を行わない
請求項２記載の表示装置。
【請求項４】
前記複数の表示装置は、リング接続される
請求項１から請求項３のうちいずれか１項に記載の表示装置。
【請求項５】
前記リング接続された表示装置のうちいずれか１台について、前記リング接続されていない新たな表示装置と入れ替えされて前記マルチディスプレイとしてリング接続されたことに応じて入力される設定指示を受け付ける設定指示入力部を有し、
前記設定情報管理部は、
前記設定指示入力部から設定指示が入力された場合に、前記設定情報の判定を行う
請求項４に記載の表示装置。
【請求項６】
複数の表示装置を接続して構成されるマルチディスプレイシステムであって、
前記表示装置は、
自表示装置に隣接して接続される第１表示装置及び第２表示装置からそれぞれ映像信号の表示に関する設定情報を取得する取得部と、
前記第１表示装置の設定情報と前記第２表示装置の設定情報とが一致するか否かの判定結果に基づいて、前記第１表示装置の設定情報と前記第２表示装置の設定情報とが一致する場合には、当該設定情報を自表示装置の設定情報として記憶部に記憶する設定情報管理部
を有するマルチディスプレイシステム。
【請求項７】
複数の表示装置が接続されることでマルチディスプレイを構成する表示装置のプログラムであって、
自表示装置に隣接して接続される第１表示装置及び第２表示装置からそれぞれ映像信号の表示に関する設定情報を取得するステップと、
前記第１表示装置の設定情報と前記第２表示装置の設定情報とが一致するか否かの判定結果に基づいて、前記第１表示装置の設定情報と前記第２表示装置の設定情報とが一致する場合には、当該設定情報を自表示装置の設定情報として記憶部に記憶するステップと
を有するコンピュータで実行可能な表示装置のプログラム。
【請求項８】
複数の表示装置が接続されるマルチディスプレイシステムにおける表示装置の設定方法であって、
自表示装置に隣接して接続される第１表示装置及び第２表示装置からそれぞれ映像信号の表示に関する設定情報を取得する工程と、
前記第１表示装置の設定情報と前記第２表示装置の設定情報とが一致するか否かの判定結果に基づいて、前記第１表示装置の設定情報と前記第２表示装置の設定情報とが一致する場合には、当該設定情報を自表示装置の設定情報として記憶部に記憶する工程と
を含むマルチディスプレイシステムにおける表示装置の設定方法。
【発明の詳細な説明】
【技術分野】
【０００１】
本発明は、表示装置、マルチディスプレイシステム、表示装置のプログラム、及びマルチディスプレイシステムにおける表示装置の設定方法に関する。
【背景技術】
【０００２】
マルチディスプレイシステムは、複数の表示装置を並べて配置することで、大画面の表示システムを構成することができる。このようなマルチディスプレイシステムでは、同等の機能や仕様である複数の表示装置を用いて、これら表示装置の表示画面を一体的に使用して１つの画面が構築される。そのため、各表示装置の表示画面への表示に関する設定は、同じ設定値となるように統一的に行われる。例えば特許文献１には、マルチディスプレイシステムを構築した場合に、コントラストやブライト調整を容易に行えるようにした技術が開示されている。
【先行技術文献】
【特許文献】
【０００３】
【特許文献１】特開平９−８３９１０号公報
【発明の概要】
【発明が解決しようとする課題】
【０００４】
このようなマルチディスプレイシステムにおいて、いずれか１台の表示装置において不具合等が発生した場合、その不具合の発生した表示装置を、新たな表示装置に交換することでメンテナンス等を行うことがある。このような場合、不具合のある表示装置と入れ替えられた新たな表示装置については、既に設置されている他の表示装置と同じになるように設定値の設定を行うことが必要である。例えば、表示装置のメンテナンス担当の作業員は、新たな表示装置のツールメニューを開き、設定が必要な各項目について、他の表示装置の設定情報を閲覧しながら設定する必要があり、手間がかかる。特に、設定する項目数が多いと、その手間も増大する。
【０００５】
上述の課題を鑑み、本発明は、マルチディスプレイシステムを構成する表示装置における設定を容易に行える表示装置、マルチディスプレイシステム、表示装置のプログラム、及びマルチディスプレイシステムにおける表示装置の設定方法を提供することを目的とする。
【課題を解決するための手段】
【０００６】
本発明の一態様に係る表示装置は、複数の表示装置が接続されることでマルチディスプレイを構成する表示装置であって、自表示装置に隣接して接続される第１表示装置及び第２表示装置からそれぞれ映像信号の表示に関する設定情報を取得する取得部と、前記第１表示装置の設定情報と前記第２表示装置の設定情報とが一致するか否かの判定結果に基づいて、前記第１表示装置の設定情報と前記第２表示装置の設定情報とが一致する場合には、当該設定情報を自表示装置の設定情報として記憶部に記憶する設定情報管理部を有する。
【０００７】
本発明の一態様に係るマルチディスプレイシステムは、複数の表示装置を接続して構成されるマルチディスプレイシステムであって、前記表示装置は、自表示装置に隣接して接続される第１表示装置及び第２表示装置からそれぞれ映像信号の表示に関する設定情報を取得する取得部と、前記第１表示装置の設定情報と前記第２表示装置の設定情報とが一致するか否かの判定結果に基づいて、前記第１表示装置の設定情報と前記第２表示装置の設定情報とが一致する場合には、当該設定情報を自表示装置の設定情報として記憶部に記憶する設定情報管理部を有する。
【０００８】
本発明の一態様に係る表示装置のプログラムは、複数の表示装置が接続されることでマルチディスプレイを構成する表示装置のプログラムであって、自表示装置に隣接して接続される第１表示装置及び第２表示装置からそれぞれ映像信号の表示に関する設定情報を取得するステップと、前記第１表示装置の設定情報と前記第２表示装置の設定情報とが一致するか否かの判定結果に基づいて、前記第１表示装置の設定情報と前記第２表示装置の設定情報とが一致する場合には、当該設定情報を自表示装置の設定情報として記憶部に記憶するステップとを有する。
【０００９】
本発明の一態様に係るマルチディスプレイシステムにおける表示装置の設定方法は、複数の表示装置が接続されるマルチディスプレイシステムにおける表示装置の設定方法であって、自表示装置に隣接して接続される第１表示装置及び第２表示装置からそれぞれ映像信号の表示に関する設定情報を取得する工程と、前記第１表示装置の設定情報と前記第２表示装置の設定情報とが一致するか否かの判定結果に基づいて、前記第１表示装置の設定情報と前記第２表示装置の設定情報とが一致する場合には、当該設定情報を自表示装置の設定情報として記憶部に記憶する工程とを含む。
【発明の効果】
【００１０】
本発明によれば、複数の表示装置の設定値がそれぞれ同じになるように設定されるマルチディスプレイシステムにおいて、隣接して接続される表示装置の設定情報を参照することで、自表示装置の設定情報として記憶することが可能となる。これにより、マルチディスプレイシステムを構成する表示装置における設定を容易に行うことができる。
【図面の簡単な説明】
【００１１】
【図１】本発明の実施形態に係る表示装置の構成を示すブロック図である。
【図２】本発明の実施形態に係るマルチディスプレイシステムの概略構成図である。
【図３Ａ】本発明の実施形態に係るマルチディスプレイシステム１における設定値の説明図である。
【図３Ｂ】本発明の実施形態に係るマルチディスプレイシステム１における設定値の説明図である。
【図４】本実施形態に係る表示装置の設定処理を示すフローチャートである。
【図５Ａ】本実施形態に係る表示装置の設定処理での判定結果を示す図である。
【図５Ｂ】本実施形態に係る表示装置の設定処理での判定結果を示す図である。
【図６】本実施形態に係る表示装置の設定処理を行った後の各表示装置の設定値を示す図である。
【図７】本発明による表示装置の基本構成を示す概略ブロック図である。
【発明を実施するための形態】
【００１２】
以下、本発明の実施の形態について図面を参照しながら説明する。
図１は、本発明の実施形態に係る表示装置１０の構成を示すブロック図である。図１に示すように、表示装置１０は、入力部１１と、映像信号処理部１２と、表示部１３と、バックライト１４と、制御部１５と、メモリ１６と、操作部１７と、通信部１８とから構成される。
【００１３】
入力部１１は、映像信号を入力する。入力部１１としては、ＨＤＭＩ（登録商標）（High Definition Multimedia Interface）、ＤＰ（DisplayPort）、ＤＶＩ（Digital Visual Interface）、ＶＧＡ（Video Graphics Array）等に対応するものが用いられる。入力部１１からの映像信号は、制御部１５の制御の基に切り替えられ、映像信号処理部１２に供給される。
【００１４】
映像信号処理部１２は、入力部１１からの入力映像信号に対して、制御部１５の制御の基に、輝度補正、色補正、表示位置補正、解像度変換等、種々の映像処理を行う。映像信号処理部１２の出力は、表示部１３に供給される。
【００１５】
表示部１３は、映像信号処理部１２から出力される入力映像信号を表示する。表示部１３としては、例えば液晶パネルが用いられる。表示部１３の背面には、バックライト１４が配設される。バックライト１４は、制御部１５の制御の基に、表示部１３に対して背面側から正面側に照明光（透過光）を照射する。
【００１６】
制御部１５は、ＣＰＵ(Central Processing Unit)等を用いて構成される。制御部１５は、表示装置１０の全体の動作を制御する。制御部１５に対して、メモリ１６が接続される。メモリ１６には、各種のデータが記憶される。また、メモリ１６には、例えば、明るさ、ガンマ補正、カラー、アスペクト比、オーバースキャン、テレシネ、スケジュール等の設定値が、各種の設定情報として記憶される。本実施形態では、制御部１５が、隣接する２台の表示装置の設定情報と自表示装置の設定情報とが一致するか否かの判定結果に基づいて、設定値をメモリ１６に記憶させる設定情報管理部として機能する。
【００１７】
操作部１７は、ユーザの操作を受け付けて、各種の設定を行う。操作部１７としては、例えば、表示装置１０の外面側に設けられた操作ボタンを用いることができる。また、操作部１７としては、ユーザの操作を受け付けることができればよく、例えば、リモコンからの赤外線のコマンド信号を受光してコマンド信号を制御部１５に出力するようにしてもよい。本実施形態では、操作部１７は、リング接続された表示装置のうちいずれか１台について、リング接続されていない新たな表示装置と入れ替えされてマルチディスプレイとしてリング接続されたことに応じて入力される設定指示を受け付ける設定指示入力部として機能することができる。この設定指示は、例えば画面上に表示されるディスプレイメニューから選択されたメニューに対して操作入力されることで受け付けされる。
【００１８】
通信部１８は、他の表示装置との間で、コマンドやデータのやり取りを行う。通信部１８としては、例えばＬＡＮ（Local Area Network ）やＲＳ２３２Ｃ等を用いて、他の表示装置と電気的に接続されることで通信を行う。本実施形態では、通信部１８は、複数の表示装置が接続されることでマルチディスプレイを構成する表示装置のうち、自表示装置に対して隣接して接続される自表示装置とは異なる２台の表示装置に電気的に接続され、この２台の表示装置に対し、それぞれ映像信号の表示に関する設定値を取得する取得部として機能する。
【００１９】
図２は、本発明の実施形態に係るマルチディスプレイシステム１の概略構成図である。図２では、６台の表示装置１０−１〜１０−６を配置して、マルチディスプレイシステム１が構成されている。各表示装置１０−１〜１０−６の機能構成は、図１において説明した表示装置１０の構成と同様の機能構成を有する。
【００２０】
マルチディスプレイシステム１を構成する各表示装置は、通信部１８どうしがリング接続される。ここで、複数の表示装置からマルチディスプレイシステムを構築する際、各表示装置をデイジーチェーン接続すると、前段側あるいは後段側に表示装置が接続されない表示装置（両端の表示装置）では、隣接する表示装置は１台であり、隣接する表示装置が２台ではなくなるため、自表示装置と隣合う２台の表示装置の設定値を比較することができなくなる。ここで、本実施形態において、各表示装置をデイジーチェーン接続する場合であってもよいが、本実施形態では、表示装置１０−１〜１０−６をリング接続する場合を一例として説明する。リング接続である場合には、１つの表示装置に対して他の表示装置が一端側と他端側にそれぞれ１台ずつ合計２台接続されるようにして全ての表示装置が接続されると、各表示装置が円環状に接続されるため、デイジーチェーン接続である場合のような、前段側あるいは後段側に表示装置が接続されない表示装置がない。そのため、いずれの表示装置であっても、自表示装置と隣合う２台の表示装置の設定値を比較することができる。例えば、表示装置１０−１は、その次の表示装置１０−２と、表示装置１０−６とが隣接する２台の表示装置として接続されており、表示装置１０−６は、その前の表示装置１０−５と、表示装置１０−１とが隣接する２台の表示装置として接続されている。
【００２１】
また、隣接して接続される表示装置は、電気的な接続からみた場合に、自表示装置に対してリング接続された一端側（例えば上流側）に１台目に接続された表示装置と他端側（例えば下流側）に接続された表示装置であって、かつ、物理的な配置としてみた場合に、自表示装置に対して上方側、下方側、右側、左側のいずれかの位置に配置される表示装置である。
【００２２】
なお、この例では、縦に２台、横に３台が並ぶようにして全部で６台の表示装置からマルチディスプレイを構成しているが、表示装置の数はこれに限定されるものではない。マルチディスプレイシステムは、縦にＮ（Ｎは２以上の自然数）台、横にＭ（Ｍは２以上の自然数）台が並ぶように配置され、かつ、後述するように各表示装置がリング接続されるものであればよい。
【００２３】
各表示装置１０−１〜１０−６は、通信ケーブル１９を介してリング接続されており、各表示装置１０−１〜１０−６の間では、通信部１８を介して、コマンドやデータをやり取りすることができる。このようなマルチディスプレイシステム１では、各表示装置１０−１〜１０−６において、自表示装置の表示画面への表示に関する設定値が各表示装置１０−１〜１０−６同士で同じになるように設定が行われる。
【００２４】
図３は、本発明の実施形態に係るマルチディスプレイシステム１における設定値の説明図である。各表示装置１０−１〜１０−６には、各種の設定値が設定されている。これらの設定値は、図１におけるメモリ１６に記憶されている。ここでは、表示装置１０−１〜１０−６の設定値をそれぞれＳＥＴ１〜ＳＥＴ６とする。
【００２５】
図３Ａは、マルチディスプレイシステム１を構築したときの各表示装置１０−１〜１０−６の設定値を示している。表示装置１０−１〜１０−６を用いてマルチディスプレイシステム１を構築した場合、表示装置１０−１〜１０−６が一体的に使用されることから、各表示装置１０−１〜１０−６の設定値ＳＥＴ１〜ＳＥＴ６は同一の値Ａに設定されている。
【００２６】
図３Ｂは、マルチディスプレイシステム１を構成する表示装置１０−１〜１０−６のうちの１台を交換した直後の設定値を示している。例えば表示装置１０−３において不具合等が発生し、その不具合の発生した表示装置１０−３を、新たな表示装置１０−３ａに交換したとする。ここで、表示装置１０−３ａの初期の設定値がＳＥＴ３ａである場合、表示装置１０−３ａの設定値ＳＥＴ３ａは他の表示装置の設定値とは異なる値（ＳＥＴ３ａ＝Ｂ）となっている。このように、マルチディスプレイシステム１を構成する表示装置１０−１〜１０−６のうちのいずれか（例えば表示装置１０−３）を交換すると、交換後の表示装置１０−３ａだけ、統一的な値Ａではなく、固有の値Ｂとなる場合がある。この状態では、表示装置１０−３ａだけ、他の表示装置１０−１、１０−２、１０−４〜１０−６と表示状態が異なってしまう。したがって、交換した表示装置１０−３ａの設定値ＳＥＴ３ａを、統一的な値Ａとする必要がある。
【００２７】
この場合、表示装置のメンテナンス担当の作業員は、新たな表示装置１０−３ａのツールメニューを開き、必要な各項目について設定を行う必要がある。ところが、設定項目には、例えば、明るさ、ガンマ補正、カラー、アスペクト比、オーバースキャン、テレシネ、スケジュール等、各種のものがあり、作業員が他の表示装置の設定情報を閲覧しながら設定しようとすると、手間がかかる。そこで、本実施形態では、各表示装置１０−１〜１０−６は、自表示装置と隣合う２台の表示装置の設定値とを比較し、個々の設定値の一致を多数決判定し、自表示装置だけ設定値が異なる場合には、隣合う２台の表示装置の何れかの設定値を自表示装置の設定値とするような処理を行っている。
【００２８】
図４は、本実施形態に係る表示装置の設定処理を示すフローチャートである。
（ステップＳ１）作業員は、例えば新たな表示装置が既設の表示装置と入れ替えてマルチディスプレイとしてリング接続されたことに応じて、設定指示を入力する。この設定指示としては、例えば、他の表示装置の設定値を参照してある表示装置において設定値を設定させる処理を実行させる指示である。この設定指示は、入れ替えによって設置される新たな表示装置に対して入力されてもよいし、マルチディスプレイシステム１におけるマスターである表示装置に対して入力することで、マスターからスレーブである他の各表示装置に対してそれぞれ設定指示が順に送信されてもよい。
【００２９】
（ステップＳ２）設定指示が入力された表示装置における制御部１５は、メモリ１６から自表示装置の設定値を読み込むとともに、自表示装置に対して隣接して接続された２台の表示装置に設定値の送信要求を送信し、隣合う２台の表示装置の設定値を取得し、処理をステップＳ３に進める。
【００３０】
（ステップＳ３）次に、制御部１５は、自表示装置の設定値と隣合う２台の表示装置の設定値とのそれぞれの表示装置（ここでは３台の表示装置）の設定値の一致を多数決判定する。多数決判定の結果、両側に隣接する表示装置の設定値が同じで、自表示装置だけ設定値が異なる場合には、処理をステップＳ４に進める。それ以外の場合（３台の表示装置の設定値がいずれも同じ場合、３台の表示装置の設定値がいずれも異なる場合、自表示装置と隣合う２台のうちの一方の表示装置とが同じ設定値であり他方の表示装置だけ設定値が異なる場合）には、処理を終了する。なお、入力映像信号の表示に関する設定値としては、例えば、明るさ、ガンマ補正、カラー、アスペクト比、オーバースキャン、テレシネ等、複数があるが、これら全ての項目を比較しても良いし、これらの項目の一部を組み合わせて比較対象の項目として用いるようにしてもよい。また、ここでは、映像信号の表示に関する設定値ばかりでなく、スケジュール等の設定値を比較対象の項目として用いてもよい。
【００３１】
（ステップＳ４）制御部１５は、隣合う表示装置の何れかの設定値を自表示装置のメモリ１６にコピーして、自表示装置の設定値とする。ここでは、隣合う表示装置の設定値は同じであるため、いずれの表示装置の設定値を用いてもよい。
【００３２】
図５は、本実施形態に係る表示装置の設定処理での判定結果を示す図である。図５Ａは、表示装置１０−３の交換前（図３Ａ参照）の判定結果を示している。図５Ａに示すように、表示装置１０−３の交換前では、表示装置１０−１〜１０−６では、自表示装置と隣合う２台の表示装置の設定値とを比較した結果、設定値は全て統一的な値Ａとなる。図４のフローチャートで示したように、設定値が全て同じ場合には、メモリ１６の設定値はそのままで処理が終了される。したがって、表示装置１０−１〜１０−６の設定値ＳＥＴ１〜ＳＥＴ６は、全て統一的な値Ａのまま変更されない。
【００３３】
図５Ｂは、表示装置１０−３を表示装置１０−３ａに交換後（図３Ｂ参照）の判定結果を示している。図５Ｂに示すように、表示装置１０−１、１０−５、１０−６では、自表示装置と隣合う２台の表示装置の設定値とを比較した結果、設定値は全て統一的な値Ａとなる。図４のフローチャートで示したように、設定値が全て同じ場合には、メモリ１６の設定値はそのままで処理が終了される。したがって、表示装置１０−１、１０−５、１０−６の設定値ＳＥＴ１、ＳＥＴ５、ＳＥＴ６は全て統一的な値Ａのまま変更されない。
【００３４】
表示装置１０−２では、自表示装置と隣合う２台の表示装置の設定値とを比較した結果、後側の表示装置のみ設定値が異なっている。図４のフローチャートで示したように、隣合う２台のうちの１台の表示装置のみ設定値が異なる場合には、メモリ１６の設定値はそのままで処理が終了される。したがって、表示装置１０−２の設定値ＳＥＴ２は、統一的な値Ａのまま変更されない。
【００３５】
表示装置１０−３ａでは、自表示装置と隣合う２台の表示装置の設定値とを比較した結果、自表示装置のみ設定が異なっている。図４のフローチャートで示したように、自表示装置のみ設定値が異なる場合、隣合う表示装置の何れかの設定値をコピーして自表示装置の設定値とする。したがって、前側の表示装置１０−２の設定値（ＳＥＴ３＝Ａ）又は後側の表示装置１０−４の設定値（ＳＥＴ４＝Ａ）をコピーし、表示装置１０−３ａの設定値を（ＳＥＴ３ａ＝Ａ）とする。
【００３６】
表示装置１０−４では、自表示装置と隣合う２台の表示装置の設定値とを比較した結果、前側の表示装置のみ設定値が異なっている。図４のフローチャートで示したように、隣合う２台のうちの１台の表示装置のみ設定値が異なる場合には、メモリ１６の設定値はそのままで処理が終了される。したがって、表示装置１０−４の設定値ＳＥＴ４は、統一的な値Ａのまま変更されない。
【００３７】
図６は、本実施形態に係る表示装置の設定処理を行った後の各表示装置１０−１、１０−２、１０−３ａ、１０−４、１０−５、１０−６の設定値を示す図である。例えば表示装置１０−３において不具合等が発生し、その不具合の発生した表示装置１０−３を新たな表示装置１０−３ａに交換した場合、上述の設定処理を行うことで、表示装置１０−３ａの設定値ＳＥＴ３ａは、表示装置１０−２の設定値（ＳＥＴ２＝Ａ）又は表示装置１０−４の設定値（ＳＥＴ４＝Ａ）をコピーしたものとなる。よって、図６に示すように、表示装置１０−３ａの設定値ＳＥＴ３ａは（ＳＥＴ３ａ＝Ａ）となり、各表示装置１０−１、１０−２、１０−３ａ、１０−４、１０−５、１０−６の設定値を全て統一的な値Ａとすることができる。
【００３８】
以上説明したように、本実施形態では、マルチディスプレイシステムにおける各表示装置の設定値が同じになるような処理が終了した後において、既設の表示装置のうちの１台について新たな１台と交換する場合に、その新たな１台については設定を簡単に行うことができる。また、２台（あるいは３台以上）隣接する位置関係の表示装置を交換する場合には、１台の表示装置を交換して設定を行ったのち、残りの表示装置のうち１台を交換して設定を行うことができる。
【００３９】
また、上述した実施形態において、マルチディスプレイシステム１を構成する各表示装置は、リング接続される場合について説明したが、デイジーチェーン接続される場合であっても適用することができる。例えば、自表示装置の前段側と後段側の両方に他の表示装置が接続される表示装置については、図４に示す処理を実行することで、隣接して接続される表示装置に記憶された設定情報を比較した比較結果に応じて、自表示装置に対して比較に用いられた設定情報を記憶することが可能である。また、自表示装置の前段側あるいは後段側のみに他の表示装置が接続される表示装置については、図４におけるステップＳ３において、例えば「全て異なる」と判定することで、処理を終了する。この場合、メンテナンス担当の作業員は、デイジーチェーン接続された複数の表示装置のうち、自表示装置の前段側あるいは後段側のみに他の表示装置が接続される表示装置のみに対して設定情報を記憶させる操作を行うだけですむ場合もあるため、マルチディスプレイシステムを構成する表示装置における設定を容易に行うことが可能となる。
【００４０】
また、上述した実施形態において、自表示装置と、隣接して接続された２台の表示装置とを含む全部で３台についての設定値を比較するようにしたが、自表示装置に対して隣接して接続された２台の表示装置の設定値を比較するようにしてもよい。この場合、２台の表示装置の設定値に対して自表示装置の設定値が異なる場合と一致する場合があるが、２台の表示装置の設定値に対して自表示装置の設定値が異なる場合には、上述した通り、隣接して接続された表示装置の設定値が自表示装置の設定値として記憶される。一方、２台の表示装置の設定値に対して自表示装置の設定値が一致する場合には、隣接して接続された表示装置の設定値が自表示装置の設定値として記憶されるが、同じ設定値が記憶されるため特に問題はない。そのため、自表示装置に対して隣接して接続された２台の表示装置の設定値を比較する場合には、自表示装置の設定値を読み出したり、比較対象とする数が増えることを抑制することができるので、処理を簡単にすることができる。
【００４１】
図７は、本発明による表示装置の基本構成を示す概略ブロック図である。本発明による表示装置は、複数の表示装置が接続されることでマルチディスプレイを構成する表示装置であって、自表示装置１００に隣接して接続される第１表示装置１０１及び第２表示装置１０２からそれぞれ映像信号の表示に関する設定情報を取得する取得部１０３と、第１表示装置１０１の設定情報と第２表示装置１０２の設定情報とが一致するか否かの判定結果に基づいて、第１表示装置１０１の設定情報と第２表示装置１０２の設定情報とが一致する場合には、当該設定情報を自表示装置１００の設定情報として記憶する設定情報管理部１０４を有する。
【００４２】
上述した実施形態におけるマルチディスプレイシステム１の全部または一部をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ等のプログラマブルロジックデバイスを用いて実現されるものであってもよい。
【００４３】
以上、この発明の実施形態について図面を参照して詳述してきたが、具体的な構成はこの実施形態に限られるものではなく、この発明の要旨を逸脱しない範囲の設計等も含まれる。
【符号の説明】
【００４４】
１…マルチディスプレイシステム、１０，１０−１〜１０−６，１０−３ａ…表示装置、１５…制御部、１６…メモリ、１００…自表示装置、１０１…第１表示装置、１０２…第２表示装置、１０３…取得部、１０４…設定情報管理部
【図１】
2020042134.tif 000003
【図２】
2020042134.tif 000004
【図３Ａ】
2020042134.tif 000005
【図３Ｂ】
2020042134.tif 000006
【図４】
2020042134.tif 000007
【図５Ａ】
2020042134.tif 000008
【図５Ｂ】
2020042134.tif 000009
【図６】
2020042134.tif 000010
【図７】
2020042134.tif 000011